(57)【特許請求の範囲】
【請求項１】
移動局であって、
ＣＤＭＡ−ＦＤＤ方式に基づく通信、およびＣＤＭＡ−ＴＤＤ方式に基づく通信を行う通信手段を備え、
該通信手段は、通信状況に基づいていずれかの方式により通信を行い、ＣＤＭＡ−ＦＤＤ方式に基づく信号を受信して該信号からＣＤＭＡ−ＴＤＤ方式に基づく同期チャネルの情報を取得し、該同期チャネルの情報に基づいて前記同期チャネルを受信し、次にＣＤＭＡ−ＴＤＤ方式に基づく共通制御チャネルの符号を判別し、該符号に基づいて前記共通制御チャネルを受信して、ＣＤＭＡ−ＴＤＤ方式に基づく通信チャネルの符号を取得し、該符号に基づいて前記通信チャネルを受信することを特徴とする移動局。
【請求項２】
請求項１に記載の移動局であって、前記通信手段は、前記同期チャネルの符号、周波数およびタイミングのうち少なくとも１つに関する情報を取得し、該情報に基づいて前記同期チャネルを受信することを特徴とする移動局。
【請求項３】
請求項２に記載の移動局であって、前記同期チャネルのタイミングに関する情報には、前記ＣＤＭＡ−ＴＤＤ方式に基づく信号のフレーム内における前記同期チャネルの信号の位置に関する情報、および前記ＣＤＭＡ−ＴＤＤ方式に基づく信号と前記ＣＤＭＡ−ＦＤＤ方式に基づく信号とのタイミングオフセットに関する情報のうち少なくとも１つが含まれることを特徴とする移動局。
【請求項４】
請求項１ないし３のいずれかに記載の移動局であって、前記通信手段は、前記同期チャネルのサーチを、該同期チャネルに用いられている可能性のある各符号について行い、前記同期チャネルを受信することを特徴とする移動局。
【請求項５】
請求項１ないし４のいずれかに記載の移動局であって、前記通信手段は、前記同期チャネルの信号のサーチを、前記ＣＤＭＡ−ＴＤＤ方式に基づく信号のフレーム内でサーチを行う位置をずらしながら行い、前記同期チャネルを受信することを特徴とする移動局。
【請求項６】
請求項１ないし５のいずれかに記載の移動局であって、前記通信手段は、ＣＤＭＡ−ＦＤＤ方式に基づく信号を受信して該信号からＣＤＭＡ−ＴＤＤ方式に基づく共通制御チャネルの情報を取得し、該情報に基づいて前記共通制御チャネルを受信して、ＣＤＭＡ−ＴＤＤ方式に基づく通信チャネルの符号を取得し、該符号に基づいて前記通信チャネルを受信することを特徴とする移動局。
【請求項７】
請求項６に記載の移動局であって、前記通信手段は、前記共通制御チャネルの符号、周波数およびタイミングのうち少なくとも１つに関する情報を取得し、該情報に基づいて前記共通制御チャネルを受信することを特徴とする移動局。
【請求項８】
請求項７に記載の移動局であって、前記共通制御チャネルのタイミングに関する情報には、前記ＣＤＭＡ−ＴＤＤ方式に基づく信号のフレーム内における前記共通制御チャネルの信号の位置に関する情報、および前記ＣＤＭＡ−ＴＤＤ方式に基づく信号と前記ＣＤＭＡ−ＦＤＤ方式に基づく信号とのタイミングオフセットに関する情報のうち少なくとも１つが含まれることを特徴とする移動局。
【請求項９】
請求項６ないし８のいずれかに記載の移動局であって、前記通信手段は、前記共通制御チャネルの信号のサーチを、前記ＣＤＭＡ−ＴＤＤ方式に基づく信号のフレーム内でサーチを行う位置をずらしながら行い、前記共通制御チャネルを受信することを特徴とする移動局。
【請求項１０】
請求項１ないし９のいずれかに記載の移動局であって、前記通信手段は、ＣＤＭＡ−ＦＤＤ方式に基づく信号を受信して該信号からＣＤＭＡ−ＴＤＤ方式に基づく通信チャネルの情報を取得し、該情報に基づいて前記通信チャネルを受信することを特徴とする移動局。
【請求項１１】
請求項１０に記載の移動局であって、前記通信手段は、前記通信チャネルの符号、周波数およびタイミングのうち少なくとも１つに関する情報を取得し、該情報に基づいて前記通信チャネルを受信することを特徴とする移動局。
【請求項１２】
請求項１１に記載の移動局であって、前記通信チャネルのタイミングに関する情報には、前記ＣＤＭＡ−ＴＤＤ方式に基づく信号のフレーム内における前記通信チャネルの信号の位置に関する情報、および前記ＣＤＭＡ−ＴＤＤ方式に基づく信号と前記ＣＤＭＡ−ＦＤＤ方式に基づく信号とのタイミングオフセットに関する情報のうち少なくとも１つが含まれることを特徴とする移動局。
【請求項１３】
通信方法であって、
ＣＤＭＡ−ＦＤＤ方式に基づく信号を受信するステップと、
受信した前記ＣＤＭＡ−ＦＤＤ方式に基づく信号からＣＤＭＡ−ＴＤＤ方式に基づく同期チャネルの情報を取得するステップと、
取得した前記ＣＤＭＡ−ＴＤＤ方式に基づく同期チャネルの情報に基づいて前記同期チャネルを受信し、次にＣＤＭＡ−ＴＤＤ方式に基づく共通制御チャネルの符号を判別し、該符号に基づいて前記共通制御チャネルを受信して、ＣＤＭＡ−ＴＤＤ方式に基づく通信チャネルの符号を取得し、該符号に基づいて前記通信チャネルを受信するステップと
を備えることを特徴とする通信方法。
【請求項１４】
通信方法であって、
基地局が、ＣＤＭＡ−ＴＤＤ方式に基づく同期チャネルの情報をＣＤＭＡ−ＦＤＤ方式に基づく信号に含めるステップと、
前記基地局が移動局に、前記ＣＤＭＡ−ＦＤＤ方式に基づく信号を送信するステップと、
前記移動局が、受信した前記ＣＤＭＡ−ＦＤＤ方式に基づく信号から前記ＣＤＭＡ−ＴＤＤ方式に基づく同期チャネルの情報を取得するステップと、
前記移動局が、取得した前記ＣＤＭＡ−ＴＤＤ方式に基づく同期チャネルの情報に基づいて前記同期チャネルを受信し、次にＣＤＭＡ−ＴＤＤ方式に基づく共通制御チャネルの符号を判別し、該符号に基づいて前記共通制御チャネルを受信して、ＣＤＭＡ−ＴＤＤ方式に基づく通信チャネルの符号を取得し、該符号に基づいて前記通信チャネルを受信するステップと
を備えることを特徴とする通信方法。
【発明の詳細な説明】
【０００１】
【発明の属する技術分野】
本発明は、移動局、基地局および通信方法に関し、より具体的には、移動通信システムにおいて、移動局が、ＣＤＭＡ−ＦＤＤ方式に基づく信号を受信してＣＤＭＡ−ＴＤＤ方式に基づく信号の情報を取得し、ＣＤＭＡ−ＴＤＤ方式に基づく信号を受信できるようにする移動局、基地局および通信方法に関する。
【０００２】
【従来の技術】
従来、２種類以上のエアインタフェースで同一のサービスを提供する例はなかった。
【０００３】
一方、移動通信等に用いられるＣＤＭＡ(Code Division Multiple Access)方式には、例えばＩＭＴ−２０００において検討されているように、ＣＤＭＡ−ＦＤＤ(Frequency Division Duplex)方式、およびＣＤＭＡ−ＴＤＤ(Time Division Duplex)方式が含まれる。
【０００４】
【発明が解決しようとする課題】
そこで、上述したＣＤＭＡ−ＦＤＤ方式、およびＣＤＭＡ−ＴＤＤ方式の双方を用いてサービスを提供することが考えられる。
【０００５】
図１は、移動通信システムの例を示す図である。図１の例では、各基地局がＣＤＭＡ−ＦＤＤ方式、およびＣＤＭＡ−ＴＤＤ方式の双方により同一のサービスを提供している。
【０００６】
また、図１の例では、各基地局につき、ＣＤＭＡ−ＦＤＤ方式に基づくサービスエリア（セル）、およびＣＤＭＡ−ＴＤＤ方式に基づくサービスエリア（セル）をそれぞれ１つずつ設けている。ただし、例えば、セルを複数のセクタに分割して、１つの基地局が各方式につき、複数のサービスエリア（セクタ）を有するようにすることもできる。図２の例では、セル６０を６つのセクタ６１〜６６に分割している。
【０００７】
図１の例において、基地局２１は、ＣＤＭＡ−ＴＤＤ方式に基づくサービスエリア３１、およびＣＤＭＡ−ＦＤＤ方式に基づくサービスエリア４１を有する。また、基地局２２は、ＣＤＭＡ−ＴＤＤ方式に基づくサービスエリア３２、およびＣＤＭＡ−ＦＤＤ方式に基づくサービスエリア４２を有する。また、基地局２３は、ＣＤＭＡ−ＴＤＤ方式に基づくサービスエリア３３、およびＣＤＭＡ−ＦＤＤ方式に基づくサービスエリア４３を有する。移動局１１は、例えば、図１に示すように、ＣＤＭＡ−ＴＤＤ方式に基づくサービスエリア（サービスエリア３１）およびＣＤＭＡ−ＦＤＤ方式に基づくサービスエリア（サービスエリア４１）の双方に在圏するときは、基地局（基地局２１）と、ＣＤＭＡ−ＴＤＤ方式またはＣＤＭＡ−ＦＤＤ方式のいずれかに基づく無線通信を行うことができる。
【０００８】
制御局５１は、各基地局を制御し、移動局と基地局との間の無線通信に用いるチャネルの管理を行っている。すなわち、制御局５１は、現在のチャネルの状態（各サービスエリアで用いられているチャネル、空きチャネルの状態等）を把握し、管理を行っている。そして、チャネル割当要求があると、現在のチャネルの状態を考慮して、チャネル割当てを行う。チャネルの割当要求は、サービスエリアで呼が生起したとき、他のサービスエリアから自サービスエリアへハンドオーバ呼が入ってきたとき等に発生する。
【０００９】
サービスエリアの大きさ（広さ）については、ＣＤＭＡ−ＴＤＤ方式では、送信時間がスロットに分割されるため、送信電力をＦＤＤと同程度に設定すると、一般的には、図１に示すように、ＣＤＭＡ−ＦＤＤ方式に基づくサービスエリアの方がＣＤＭＡ−ＴＤＤ方式に基づくサービスエリアよりも大きくなる。都心部等で、ＣＤＭＡ−ＦＤＤ方式のサービスエリアを故意に小さくしている場合は、ＦＤＤのサービスエリアとＴＤＤのサービスエリアがほぼ一致する場合や、逆にＴＤＤのサービスエリアの方が広くなる場合もある。
【００１０】
ところで、ＣＤＭＡ−ＴＤＤ方式の周波数帯、キャリア位置は、国、地域、オペレータ、周囲状況（他システム（固定マイクロ等）の設置状況）により異なる。そのため、ＣＤＭＡ−ＴＤＤ方式でローミングできない場合もあると考えられる。
【００１１】
そこで、ＣＤＭＡ−ＦＤＤ方式でローミングしてＣＤＭＡ−ＴＤＤ方式に移行することが考えられる。すなわち、移動局が、ＣＤＭＡ−ＦＤＤ方式に基づく信号を受信してＣＤＭＡ−ＴＤＤ方式に基づく信号の情報を取得し、ＣＤＭＡ−ＴＤＤ方式に基づく信号を受信することが考えられる。
【００１２】
そこで、本発明の目的は、移動通信システムにおいて、移動局が、ＣＤＭＡ−ＦＤＤ方式に基づく信号を受信してＣＤＭＡ−ＴＤＤ方式に基づく信号の情報を取得し、ＣＤＭＡ−ＴＤＤ方式に基づく信号を受信できるようにすることである。
【００１３】
【課題を解決するための手段】
上記目的を達成するために、請求項１に記載の発明は、移動局であって、ＣＤＭＡ−ＦＤＤ方式に基づく通信、およびＣＤＭＡ−ＴＤＤ方式に基づく通信を行う通信手段を備え、通信手段は、通信状況に基づいていずれかの方式により通信を行い、ＣＤＭＡ−ＦＤＤ方式に基づく信号を受信して信号からＣＤＭＡ−ＴＤＤ方式に基づく同期チャネルの情報を取得し、同期チャネルの情報に基づいて同期チャネルを受信し、次にＣＤＭＡ−ＴＤＤ方式に基づく共通制御チャネルの符号を判別し、符号に基づいて共通制御チャネルを受信して、ＣＤＭＡ−ＴＤＤ方式に基づく通信チャネルの符号を取得し、符号に基づいて通信チャネルを受信することを特徴とする。
【００１５】
請求項２に記載の発明は、請求項１に記載の移動局であって、通信手段は、同期チャネルの符号、周波数およびタイミングのうち少なくとも１つに関する情報を取得し、情報に基づいて前記同期チャネルを受信することを特徴とする。
【００１６】
請求項３に記載の発明は、請求項２に記載の移動局であって、前記同期チャネルのタイミングに関する情報には、前記ＣＤＭＡ−ＴＤＤ方式に基づく信号のフレーム内における前記同期チャネルの信号の位置に関する情報、および前記ＣＤＭＡ−ＴＤＤ方式に基づく信号と前記ＣＤＭＡ−ＦＤＤ方式に基づく信号とのタイミングオフセットに関する情報のうち少なくとも１つが含まれることを特徴とする。
【００１７】
請求項４に記載の発明は、請求項１ないし３のいずれかに記載の移動局であって、前記通信手段は、前記同期チャネルのサーチを、該同期チャネルに用いられている可能性のある各符号について行い、前記同期チャネルを受信することを特徴とする。
【００１８】
請求項５に記載の発明は、請求項１ないし４のいずれかに記載の移動局であって、前記通信手段は、前記同期チャネルの信号のサーチを、前記ＣＤＭＡ−ＴＤＤ方式に基づく信号のフレーム内でサーチを行う位置をずらしながら行い、前記同期チャネルを受信することを特徴とする。
【００１９】
請求項６に記載の発明は、請求項１ないし５のいずれかに記載の移動局であって、前記通信手段は、ＣＤＭＡ−ＦＤＤ方式に基づく信号を受信して該信号からＣＤＭＡ−ＴＤＤ方式に基づく共通制御チャネルの情報を取得し、該情報に基づいて前記共通制御チャネルを受信して、ＣＤＭＡ−ＴＤＤ方式に基づく通信チャネルの符号を取得し、該符号に基づいて前記通信チャネルを受信することを特徴とする。
【００２０】
請求項７に記載の発明は、請求項６に記載の移動局であって、前記通信手段は、前記共通制御チャネルの符号、周波数およびタイミングのうち少なくとも１つに関する情報を取得し、該情報に基づいて前記共通制御チャネルを受信することを特徴とする。
【００２１】
請求項８に記載の発明は、請求項７に記載の移動局であって、前記共通制御チャネルのタイミングに関する情報には、前記ＣＤＭＡ−ＴＤＤ方式に基づく信号のフレーム内における前記共通制御チャネルの信号の位置に関する情報、および前記ＣＤＭＡ−ＴＤＤ方式に基づく信号と前記ＣＤＭＡ−ＦＤＤ方式に基づく信号とのタイミングオフセットに関する情報のうち少なくとも１つが含まれることを特徴とする。
【００２２】
請求項９に記載の発明は、請求項６ないし８のいずれかに記載の移動局であって、前記通信手段は、前記共通制御チャネルの信号のサーチを、前記ＣＤＭＡ−ＴＤＤ方式に基づく信号のフレーム内でサーチを行う位置をずらしながら行い、前記共通制御チャネルを受信することを特徴とする。
【００２３】
請求項１０に記載の発明は、請求項１ないし９のいずれかに記載の移動局であって、前記通信手段は、ＣＤＭＡ−ＦＤＤ方式に基づく信号を受信して該信号からＣＤＭＡ−ＴＤＤ方式に基づく通信チャネルの情報を取得し、該情報に基づいて前記通信チャネルを受信することを特徴とする。
【００２４】
請求項１１に記載の発明は、請求項１０に記載の移動局であって、前記通信手段は、前記通信チャネルの符号、周波数およびタイミングのうち少なくとも１つに関する情報を取得し、該情報に基づいて前記通信チャネルを受信することを特徴とする。
【００２５】
請求項１２に記載の発明は、請求項１１に記載の移動局であって、前記通信チャネルのタイミングに関する情報には、前記ＣＤＭＡ−ＴＤＤ方式に基づく信号のフレーム内における前記通信チャネルの信号の位置に関する情報、および前記ＣＤＭＡ−ＴＤＤ方式に基づく信号と前記ＣＤＭＡ−ＦＤＤ方式に基づく信号とのタイミングオフセットに関する情報のうち少なくとも１つが含まれることを特徴とする。
【００２６】
請求項１３に記載の発明は、通信方法であって、ＣＤＭＡ−ＦＤＤ方式に基づく信号を受信するステップと、受信したＣＤＭＡ−ＦＤＤ方式に基づく信号からＣＤＭＡ−ＴＤＤ方式に基づく同期チャネルの情報を取得するステップと、取得したＣＤＭＡ−ＴＤＤ方式に基づく同期チャネルの情報に基づいて同期チャネルを受信し、次にＣＤＭＡ−ＴＤＤ方式に基づく共通制御チャネルの符号を判別し、符号に基づいて共通制御チャネルを受信して、ＣＤＭＡ−ＴＤＤ方式に基づく通信チャネルの符号を取得し、符号に基づいて通信チャネルを受信するステップとを備えることを特徴とする。
【００２７】
請求項１４に記載の発明は、通信方法であって、基地局が、ＣＤＭＡ−ＴＤＤ方式に基づく同期チャネルの情報をＣＤＭＡ−ＦＤＤ方式に基づく信号に含めるステップと、基地局が移動局に、ＣＤＭＡ−ＦＤＤ方式に基づく信号を送信するステップと、移動局が、受信したＣＤＭＡ−ＦＤＤ方式に基づく信号からＣＤＭＡ−ＴＤＤ方式に基づく同期チャネルの情報を取得するステップと、移動局が、取得したＣＤＭＡ−ＴＤＤ方式に基づく同期チャネルの情報に基づいて同期チャネルを受信し、次にＣＤＭＡ−ＴＤＤ方式に基づく共通制御チャネルの符号を判別し、符号に基づいて共通制御チャネルを受信して、ＣＤＭＡ−ＴＤＤ方式に基づく通信チャネルの符号を取得し、符号に基づいて通信チャネルを受信するステップとを備えることを特徴とする。
【００３８】
以上の構成によれば、移動通信システムにおいて、移動局が、ＣＤＭＡ−ＦＤＤ方式に基づく信号を受信してＣＤＭＡ−ＴＤＤ方式に基づく信号の情報を取得し、ＣＤＭＡ−ＴＤＤ方式に基づく信号を受信することができる。
【００３９】
【発明の実施の形態】
以下、図面を参照しつつ本発明の実施の形態について詳しく説明する。
【００４０】
図３は、移動局の構成例を示すブロック図である。図３に示す移動局１１０は、制御部１１１、記憶部１１２、通信部１１３、およびアンテナ１１５を備える。制御部１１１は各種の制御を行う。制御部１１１は、通信部１１３およびアンテナ１１５を介して基地局と、ＣＤＭＡ−ＦＤＤ方式に基づく通信、およびＣＤＭＡ−ＴＤＤ方式に基づく通信の双方を行うことができる。通信を行う際、制御部１１１は、信号の符号、周波数、タイミング等に関して、通信部１１３を制御する。記憶部１１２には、各種の情報が記憶される。
【００４１】
図４は、基地局の構成例を示すブロック図である。図４に示す基地局１２０は、制御部１２１、記憶部１２２、通信部１２３、１２４、およびアンテナ１２５を備える。制御部１２１は各種の制御を行う。制御部１２１は、通信部１２３およびアンテナ１２５を介して基地局と、ＣＤＭＡ−ＦＤＤ方式に基づく通信、およびＣＤＭＡ−ＴＤＤ方式に基づく通信の双方を行うことができる。また、制御部１２１は、通信部１２４を介して制御局と通信を行うことができる。記憶部１１２には、各種の情報が記憶される。
【００４２】
基地局は、随時、ＣＤＭＡ−ＴＤＤ方式に基づく信号の送信を行っており、その中には下り共通チャネルが含まれる。
【００４３】
図５は、基地局が送信するＣＤＭＡ−ＴＤＤ方式に基づく下り共通チャネルの例を示す図である。本実施形態において、基地局は、ＣＤＭＡ−ＴＤＤ方式に基づく下り共通チャネルとして、同期チャネル（ＳＣＨ：Synchronization CHannel）、および共通制御チャネル（ＣＣＰＣＨ：Common Control Physical CHannel）を送信している。移動局は、これらの下り共通チャネルを受信して、下り信号の同期をとり、拡散符号を同定することができる。ＳＣＨは２５６ｃｈｉｐの期間のみ送信する。隣接セルと識別できるため送信タイミングにオフセット（t offset）を付加している。
【００４４】
ＳＣＨは、全サービスエリア共通の一次同期符号（ＰＳコード：Primary Synchronization Code）と二次同期符号（ＳＳコード：Secondary Synchronization Code）を送信している。ＰＳコードおよびＳＳコードは２５６ｃｈｉｐの符号であり、移動局はＰＳコードを受信することにより、スロット同期を確立することができ、ＳＳコードを検出して、フレーム同期をとると共に、受信しているサービスエリアが使用しているＳコード（Scrambling Code）が、Ｓコードグループのどれに属するかを判別することができる。
【００４５】
移動局はＣＣＰＣＨを使って、受信しているサービスエリアのＳコードを同定する。ＣＣＰＣＨは全サービスエリアで同じＣコード（Channelization Code）を使用しているので、移動局はＳコードの種類を判別することができる。ＣＣＰＣＨではシステムおよびサービスエリアの情報が送信されている。
【００４６】
ＣＣＰＣＨには、Ｐ−ＣＣＰＣＨおよびＳ−ＣＣＰＣＨが含まれる。Ｐ−ＣＣＰＣＨでは、サービスエリアの情報などが送信されている。Ｓ−ＣＣＰＣＨでは、移動機に対する着呼の情報などが送信されている。
【００４７】
Ｐ−ＣＣＰＣＨおよびＳ−ＣＣＰＣＨはいずれも、拡散符号（本実施形態においては、ＳコードおよびＣコード）により拡散されている。
【００４８】
図６は、ＣＤＭＡ−ＦＤＤ方式に基づく通信からＣＤＭＡ−ＴＤＤ方式に基づく通信に切り替える際の、基地局と移動局との間のやりとりの例を示す図である。移動局は、例えば電源投入時に以下のような処理を行う。
【００４９】
まず、移動局は、基地局からＣＤＭＡ−ＦＤＤ方式に基づく信号を受信する。基地局は、制御信号を通じて、下り共通チャネルの位置、ＣＤＭＡ−ＴＤＤ方式に基づく信号の送信周波数、ＳＳコードおよびＳコードを送信している（図６の(a)）。なお、下り共通チャネルの位置等について移動局が知っている場合には、これらの情報を送信しなくてもよい。
【００５０】
移動局は、下り共通チャネルの位置、周波数等を受信すると（(b)）、ＣＤＭＡ−ＦＤＤ方式に基づく通信を終了する（(c)）。そして、取得した周波数に基づき、受信周波数をＣＤＭＡ−ＴＤＤ方式に基づく信号の周波数に合わせる（(d)）。そして、取得した下り共通チャネルの位置で、取得したＳコードにより（ＣＤＭＡ−ＴＤＤ方式に基づく）ＣＣＰＣＨの同期をとり、ＣＣＰＣＨを受信する（(g)）。
【００５１】
図６の例では、基地局が送信するＣＤＭＡ−ＦＤＤ方式に基づく信号とＣＤＭＡ−ＴＤＤ方式に基づく信号との間でタイミングの同期がとれている。ただし、タイミングの同期がとれていない場合には、両信号のタイミングオフセットを基地局から移動局に送信し、移動局がそれを用いてＣＣＰＣＨを受信し、ＣＤＭＡ−ＴＤＤ方式に基づく信号のフレーム同期をとるようにすることもできる。
【００５２】
なお、移動局は、基地局からＣＣＰＣＨの（送信）周波数について指示を受けられない場合でも、サーチする周波数を変えながらＣＣＰＣＨ（の周波数）をサーチし、ＣＣＰＣＨに周波数を合わせることができる。
【００５３】
また、移動局は、基地局から下り共通チャネルの位置等の指示を受けられない場合でも、ＣＤＭＡ−ＴＤＤ方式に基づく信号のフレームの長さがわかっているような場合には、ＣＤＭＡ−ＴＤＤ方式に基づく信号のフレーム内でＣＣＰＣＨをサーチして、ＣＣＰＣＨを受信することが可能である。サーチは、フレーム内でサーチを行う位置をずらしながら行う。
【００５４】
なお、基地局が送信したＳコードによりＣＣＰＣＨが受信できない場合には、基地局が送信したＳＳコード（同期信号）を受信する（(f)）。上述のように、本実施形態において、基地局は、同期信号としてＰＳコードおよびＳＳコードを送信している。移動局は、ＰＳコードを受信することにより、スロット同期を確立することができる。また、ＳＳコードおよびＳコードは、ＳＳコードが定まればＳコードの候補が限定されるように定められている。したがって、移動局は、ＳＳコードを受信することができれば、ＣＣＰＣＨの拡散に用いられた可能性のあるＳコードは限定されるので、その限定されたＳコードの各々を用いてＣＣＰＣＨの受信を試み、Ｓコードを特定すればよい（(g)）。
【００５５】
基地局が指示したＳコードによりＣＣＰＣＨを受信できない場合に、基地局が指示したＳＳコードの受信から始めるのではなく、ＰＳコードの受信から始めるようにしてもよい。
【００５６】
また、移動局は、基地局からＳＳコードおよびＳコードの指示を受けられない場合でも、ＣＣＰＣＨを受信することが可能である。本実施形態においては、ＰＳコードは１種類のみを用いており、移動局はこのＰＳコードを知っている。したがって、移動局は、ＰＳコードを受信することができれば（(e)）、ＳＳコードの送信タイミングがわかるので、全てのＳＳコードについて受信を試みればよい（(f)）。ＳＳコードを受信できれば、Ｓコードは限定されるので、各Ｓコードを用いてＣＣＰＣＨの受信を試みればよい（(g)）。
【００５７】
基地局は、ＰＳコードおよびＳＳコードに関するタイミング（フレーム内の位置、タイミングオフセット等）および周波数についての情報を移動局に送信するようにすることができる。
【００５８】
移動局は、Ｐ−ＣＣＰＣＨを受信した後、Ｓ−ＣＣＰＣＨを受信することにより、自らに着信があることを知り、通信チャネルで通信する際に用いる送受信スロットおよびＣコードの指示を受けると、その指示に従って通信チャネルで送受信を行う（(h)）。なお、本実施形態において、通信チャネルは、拡散符号（本実施形態においては、Ｓコードおよびサービスエリアによって異なるＣコード）により拡散されている。
【００５９】
移動局は、ＣＤＭＡ−ＦＤＤ方式に基づく信号を受信している間に、自らに着信があることを知ることもできる。例えば、移動局は、ＣＤＭＡ−ＦＤＤ方式に基づくＳ−ＣＣＰＣＨによりページングを受けた後、ＣＤＭＡ−ＦＤＤ方式に基づくＦＡＣＨ（Forward Access Channel：下り共通チャネルの一種）でＣＤＭＡ−ＴＤＤ方式に基づく通信チャネルの指定（送受信スロット、Ｃコード等の指定）を受け、そのＣＤＭＡ−ＴＤＤ方式に基づく通信チャネルで送受信を行う。
【００６０】
また、移動局は、ＣＤＭＡ−ＦＤＤ方式に基づく信号を受信している間に、発信することもできる。例えば、移動局は、ＣＤＭＡ−ＦＤＤ方式に基づくＲＡＣＨ（Random Access Channel：上り共通チャネルの一種）により接続要求を行い、ＣＤＭＡ−ＦＤＤ方式に基づくＦＡＣＨでＣＤＭＡ−ＴＤＤ方式に基づく通信チャネルの指定を受け、そのＣＤＭＡ−ＴＤＤ方式に基づく通信チャネルで送受信を行う。
【００６１】
本実施形態においては、基地局は、ＣＤＭＡ−ＴＤＤ方式に基づく信号として、下り共通チャネルの信号（同期チャネルの信号（ＰＳコードおよびＳＳコード）、ならびに共通制御チャネル（Ｐ−ＣＣＰＣＨおよびＳ−ＣＣＰＣＨ）の信号）、ならびに通信チャネルの信号を送信している。ただし、基地局は、例えば、同期チャネルの信号に関し、ＳＳコードを送信しないようにしてもよいし、同期チャネルの信号を一切送信しないようにしてもよい。また、例えば、共通制御チャネルの信号に関し、Ｐ−ＣＣＰＣＨおよびＳ−ＣＣＰＣＨの信号のいずれか１つを送信しないようにしてもよいし、これらの信号を一切送信しないようにしてもよい。
【００６２】
基地局が下り共通チャネルを送信しない場合、移動局は最初から通信チャネルを受信する。その場合、基地局は、通信チャネルに関する符号（ＳコードおよびＣコード）、タイミング（送受信を行うスロットの位置、タイミングオフセット等）および周波数についての情報を移動局に送信するようにすることができる。
【００６３】
【発明の効果】
以上説明したように本発明によれば、移動通信システムにおいて、移動局が、ＣＤＭＡ−ＦＤＤ方式に基づく信号を受信してＣＤＭＡ−ＴＤＤ方式に基づく信号の情報を取得し、ＣＤＭＡ−ＴＤＤ方式に基づく信号を受信することができる。
【図面の簡単な説明】
【図１】移動通信システムの例を示す図である。
【図２】１つのセルを６つのセクタに分けた例を示す図である。
【図３】移動局の構成例を示すブロック図である。
【図４】基地局の構成例を示すブロック図である。
【図５】基地局が送信するＣＤＭＡ−ＴＤＤ方式に基づく下り共通チャネルの例を示す図である。
【図６】ＣＤＭＡ−ＦＤＤ方式に基づく通信からＣＤＭＡ−ＴＤＤ方式に基づく通信に切り替える際の、基地局と移動局との間のやりとりの例を示す図である。
【符号の説明】
１１、１１０  移動局
２１〜２３、１２０  基地局
３１〜３３  ＣＤＭＡ−ＴＤＤ方式に基づくサービスエリア
４１〜４３  ＣＤＭＡ−ＦＤＤ方式に基づくサービスエリア
５１  制御局
６０  セル
６１〜６６  セクタ
１１１、１２１  制御部
１１２、１２２  記憶部
１１３、１２３、１２４  通信部
１１５、１２５  アンテナ
【図１】
0003892221.tif 000002
【図２】
0003892221.tif 000003
【図３】
0003892221.tif 000004
【図４】
0003892221.tif 000005
【図５】
0003892221.tif 000006
【図６】
0003892221.tif 000007